(57)【要約】【課題】傾斜姿勢により水中ミキサ本体をガイド支柱に安定して取り付けることが可能な水中ミキサを提供する。【解決手段】この水中ミキサ１００は、水中ミキサ本体１０１と、水中ミキサ本体１０１を傾斜姿勢により、ガイド支柱Ｇ１に取付可能な取付部材１０２と、を備え、取付部材１０２は、水平姿勢において、Ａ１方向側から、ガイド支柱Ｇ１に対して当接可能に設けられ、上下方向に互いに離間して配置される一対の第１ガイド部６、７と、水平姿勢において、Ａ２方向側から、ガイド支柱Ｇ１に対して当接可能に設けられる当接部５ａ、５ｂと、水平姿勢において、一対の第１ガイド部６、７の間の高さ位置で、ガイド支柱Ｇ１から水平方向に離間した位置に配置される第２ガイド部８とを含み、取付部材１０２は、一対の第１ガイド部６、７の一方と、第２ガイド部８との間にガイド支柱Ｇ１を通すことにより、水中ミキサ本体を傾斜姿勢とする。【選択図】図３
2019171263.tif 000002
【特許請求の範囲】
【請求項１】
一端側に設けられる撹拌羽根を含み、上下方向に延びるガイド支柱に昇降可能に取り付けられる水中ミキサ本体と、
前記水中ミキサ本体の他端側に設けられ、前記水中ミキサ本体を上下方向に対する傾斜角度を変えた傾斜姿勢により、前記ガイド支柱に取付可能な取付部材と、を備え、
前記取付部材は、前記撹拌羽根の回転軸が水平方向に延びる水平姿勢において、前記ガイド支柱の前記撹拌羽根側とは逆の第１水平方向側から、前記ガイド支柱に対して当接可能に設けられ、上下方向に互いに離間して配置される一対の第１ガイド部と、前記水平姿勢において、前記ガイド支柱の前記第１水平方向側とは逆の第２水平方向側から、前記ガイド支柱に対して当接可能に設けられる当接部と、前記水平姿勢において、前記一対の第１ガイド部の間の高さ位置で、前記ガイド支柱から第１水平方向に離間した位置に配置される第２ガイド部とを含み、
前記取付部材は、前記一対の第１ガイド部の一方と、前記第２ガイド部との間に前記ガイド支柱を通すことにより、前記水中ミキサ本体を前記傾斜姿勢とするように構成されている、水中ミキサ。
【請求項２】
前記当接部と前記第２ガイド部とは、前記水中ミキサ本体を前記ガイド支柱に前記撹拌羽根が上方側を向く上向姿勢、前記撹拌羽根が下方側を向く下向姿勢でそれぞれ所定角度傾けて取り付けた場合に、いずれの場合でも前記ガイド支柱に接するように構成されている、請求項１に記載の水中ミキサ。
【請求項３】
前記当接部は、前記水中ミキサ本体が前記水平姿勢にある場合に、上下方向に互いに離間して一対設けられている、請求項１または２に記載の水中ミキサ。
【請求項４】
前記一対の第１ガイド部の間の距離は、一対の前記当接部の間の距離よりも大きい、請求項３に記載の水中ミキサ。
【請求項５】
前記当接部は、水平方向に延びるとともに、前記第１水平方向に突出する半円状の断面形状を有する、請求項３または４に記載の水中ミキサ。
【請求項６】
前記第２ガイド部は、ローラにより形成され、
前記傾斜姿勢は、前記撹拌羽根が上方側を向く上向姿勢と、前記撹拌羽根が下方側を向く下向姿勢とを含み、
前記ローラの回転中心軸線と、前記ガイド支柱との間の距離は、前記水中ミキサ本体が前記上向姿勢にある場合と、前記水中ミキサ本体が前記下向姿勢にある場合とにおいて互いに略等しい、請求項１〜５のいずれか１項に記載の水中ミキサ。
【請求項７】
前記取付部材は、前記一対の第１ガイド部を支持するとともに、前記水中ミキサ本体に取り付けられるブラケット本体と、前記第２ガイド部を支持するとともに前記ブラケット本体に着脱可能に取り付けられる補助ブラケットとをさらに含む、請求項１〜６のいずれか１項に記載の水中ミキサ。
【発明の詳細な説明】
【技術分野】
【０００１】
本発明は、水中ミキサに関し、ガイド支柱に昇降可能に取り付けられる水中ミキサに関するものである。
【背景技術】
【０００２】
従来、ガイドバーに昇降可能に取り付けられる水中ミキサが知られている（たとえば、特許文献１参照）。
【０００３】
上記特許文献１には、撹拌羽根を含む水中ミキサ本体と、水中ミキサ本体をガイドバーに昇降可能に取り付ける取付部材とを備えた水中ミキサが開示されている。水中ミキサは、取付部材により、水中ミキサ本体のガイドバーへの取付姿勢を、水平姿勢、傾斜姿勢（上向姿勢、下向姿勢）に変更可能に構成されている。
【０００４】
取付部材は、水平姿勢において、ガイドバーの一方側であるガイドバーの撹拌羽根側とは逆側（後方側）に上下方向に離間して配置される一対のガイドローラ（第１ガイド部）と、水平姿勢において、ガイドバーの他方側（前方側）に配置されるスライド部（当接部）とを含んでいる。一対のガイドローラおよびスライド部は、水平姿勢において、ガイドバーに対して当接可能に配置されている。一対のガイドローラおよびスライド部は、水中ミキサ本体の昇降時や運転時に、ガイドバーに対する水中ミキサ本体の姿勢を保持するための構成である。
【０００５】
一対のガイドローラの一方は、傾斜姿勢において、ガイドバーの一方側（後方側）に、ガイドバーに対して当接可能に配置される。また、一対のガイドローラの他方およびスライド部は、傾斜姿勢において、ガイドバーの他方側（前方側）に、ガイドバーに対して当接可能に配置される。
【先行技術文献】
【特許文献】
【０００６】
【特許文献１】特開２００２−３６１０６２号公報
【発明の概要】
【発明が解決しようとする課題】
【０００７】
しかしながら、上記特許文献１の水中ミキサでは、傾斜姿勢において、ガイドバーの一方側（ガイド支柱の撹拌羽根側とは逆側）（後方側）に、ガイドバーに対する水中ミキサ本体の姿勢を保持するための構成として、ガイドローラの一方（１つ）のみしか配置されていないため、ガイドバーに対する水中ミキサ本体の取付状態が不安定であるという問題点がある。また、傾斜姿勢の水中ミキサの昇降時において、水中ミキサ本体が回動して、水中ミキサ本体がガイドバーに対してロックされて昇降動作ができなくなる場合がある。また、吊下げチェーンでの支持をしなければ上向き・下向きの姿勢を安定して維持する事ができず、水平姿勢での取り付け時よりも、常に吊下げチェーンに強いテンションがチェーンにかかり続けるので、吊下げチェーンが破断する可能性がある。特に吊下げチェーンが破断した状態で傾斜姿勢の水中ミキサを運転させると、水中ミキサの運転による反力を受けてガイドバーの撹拌羽根側とは逆側にある１つのガイドローラを回動中心として水中ミキサ本体の傾斜角度が変わり、最悪水中ミキサ本体がガイドバーに当たる場合がある。
【０００８】
この発明は、上記のような課題を解決するためになされたものであり、この発明の１つの目的は、傾斜姿勢における水中ミキサ本体のガイド支柱への取付状態を安定させることが可能な水中ミキサを提供することである。
【課題を解決するための手段】
【０００９】
上記目的を達成するために、この発明の一の局面による水中ミキサでは、上記のように、一端側に設けられる撹拌羽根を含み、上下方向に延びるガイド支柱に昇降可能に取り付けられる水中ミキサ本体と、水中ミキサ本体の他端側に設けられ、水中ミキサ本体を上下方向に対する傾斜角度を変えた傾斜姿勢により、ガイド支柱に取付可能な取付部材と、を備え、取付部材は、撹拌羽根の回転軸が水平方向に延びる水平姿勢において、ガイド支柱の撹拌羽根側とは逆の第１水平方向側から、ガイド支柱に対して当接可能に設けられ、上下方向に互いに離間して配置される一対の第１ガイド部と、水平姿勢において、ガイド支柱の第１水平方向側とは逆の第２水平方向側から、ガイド支柱に対して当接可能に設けられる当接部と、水平姿勢において、一対の第１ガイド部の間の高さ位置で、ガイド支柱から第１水平方向に離間した位置に配置される第２ガイド部とを含み、取付部材は、一対の第１ガイド部の一方と、第２ガイド部との間にガイド支柱を通すことにより、水中ミキサ本体を傾斜姿勢とするように構成されている。
【００１０】
この発明の一の局面による水中ミキサでは、上記のように、水平姿勢において、ガイド支柱の撹拌羽根側とは逆の第１水平方向側から、ガイド支柱に対して当接可能に設けられ、上下方向に互いに離間して配置される一対の第１ガイド部と、水平姿勢において、ガイド支柱の第１水平方向側とは逆の第２水平方向側から、ガイド支柱に対して当接可能に設けられる当接部と、水平姿勢において、一対の第１ガイド部の間の高さ位置で、ガイド支柱から第１水平方向に離間した位置に配置される第２ガイド部とを含むように取付部材を構成し、取付部材の一対の第１ガイド部の一方と、第２ガイド部との間にガイド支柱を通すことにより、水中ミキサ本体を傾斜姿勢とすることができる。これにより、水中ミキサ本体を傾斜姿勢とした際に、水平姿勢の場合よりも、一対の第１ガイド部の一方よりも第１水平方向側（ガイド支柱の撹拌羽根側とは逆側）（後方側）に、一対の第１ガイド部の他方を移動させることができる。したがって、第２ガイド部に加えて、一対の第１ガイド部の他方を、ガイド支柱の第１水平方向側（後方側）に配置することができる。これにより、ガイド支柱に対する水中ミキサ本体の姿勢を保持するための構成として、ガイド支柱の第１水平方向側に、一対の第１ガイド部の他方および第２ガイド部の２つを配置することができる。その結果、傾斜姿勢において、ガイド支柱に対する水中ミキサ本体の回動を規制することができるので、傾斜姿勢における水中ミキサ本体のガイド支柱への取付状態を安定させることができる。その結果、水中ミキサの運転時および昇降時において、水中ミキサ本体のガイド支柱への取付姿勢を安定して保持することができる。
【００１１】
ここで、従来より、水中ミキサは、水中ミキサ本体に取り付けられるチェーンにより昇降が行われ、運転時においても取付姿勢を保持するためにチェーンに張力が掛かった状態が維持される。一方、上記のように構成することにより、取付部材によって運転時における水中ミキサ本体のガイド支柱への取付状態を安定して保持することができるので、チェーンに張力を掛けずに運転させることができる。その結果、運転時において、チェーンに張力が掛かり続けて、疲労が蓄積することに起因してチェーンが破断するのを防止することができる。
【００１２】
上記一の局面による水中ミキサにおいて、好ましくは、当接部と第２ガイド部とは、水中ミキサ本体をガイド支柱に上向姿勢、下向姿勢でそれぞれ所定角度傾けて取り付けた場合に、いずれの場合でもガイド支柱に接するように構成されている。このように構成すれば、一対の第１ガイド部の一方と当接部と第２ガイド部とでガイド支柱を支持することができるので、一対の第１ガイド部の一方と第２ガイド部との間にガイド支柱を配置した傾斜姿勢、および、一対の第１ガイド部の他方と第２ガイド部との間にガイド支柱を配置した傾斜姿勢の一方において、ガイド支柱と第１ガイド部および第２ガイド部との間の隙間（がたつき）が大きくなるのを抑制することができる。その結果、傾斜姿勢において水中ミキサ本体のガイド支柱への取付状態をより安定させることができる。
【００１３】
上記一の局面による水中ミキサにおいて、好ましくは、当接部は、水中ミキサ本体が水平姿勢にある場合に、上下方向に互いに離間して一対設けられている。このように構成すれば、当接部が１つのみからなる場合と比較して、一対の当接部により互いに離間した２つの位置でガイド支柱を支持することができるので、水中ミキサ本体のガイド支柱への取付姿勢をより安定させることができる。また、水中ミキサ本体をガイド支柱に上向姿勢で取り付ける場合は上側の当接部をガイド支柱に、水中ミキサ本体をガイド支柱に下向姿勢で取り付ける場合は下側の当接部をガイド支柱に常に当接させて、安定した傾斜姿勢にて、水中ミキサ本体をガイド支柱に取り付けることができる。
【００１４】
この場合、好ましくは、一対の第１ガイド部の間の距離は、一対の当接部の間の距離よりも大きい。このように構成すれば、上方側の当接部と上方側の第１ガイド部との間にガイド支柱を通し、かつ、下方側の第１ガイド部と第２ガイド部の間にガイド支柱を通すことにより、上方側の当接部および一対の第１ガイド部にガイド支柱が当接可能な状態で、水中ミキサ本体を容易に安定した上向きの傾斜姿勢にすることができる。また、上方側の第１ガイド部と第２ガイド部との間にガイド支柱を通し、かつ、下方側の第１ガイド部と下方側の当接部の間にガイド支柱を通すことにより、上方側の当接部および一対の第１ガイド部にガイド支柱が当接可能な状態で、水中ミキサ本体を容易に安定した下向きの傾斜姿勢にすることができる。
【００１５】
上記水中ミキサ本体が水平姿勢にある場合に一対の当接部が上下方向に互いに離間する構成において、好ましくは、当接部は、水平方向に延びるとともに、第１水平方向に突出する半円状の断面形状を有する。このように構成すれば、ガイド支柱の当接部に対する傾斜角度が変更された場合でも、ガイド支柱と半円状の当接部との接触状態（線接触の状態）を保持することができるので、当接部が板状に形成される場合と比較して、水中ミキサ本体のガイド支柱への取付姿勢をより安定させることができる。
【００１６】
上記一の局面による水中ミキサにおいて、好ましくは、第２ガイド部は、ローラにより形成され、傾斜姿勢は、撹拌羽根が上方側を向く上向姿勢と、撹拌羽根が下方側を向く下向姿勢とを含み、ローラの回転中心軸線と、ガイド支柱との間の距離は、水中ミキサ本体が上向姿勢にある場合と、水中ミキサ本体が下向姿勢にある場合とにおいて互いに略等しい。このように構成すれば、上向姿勢と下向姿勢とにおいて、いずれの場合でも水中ミキサ本体を同じ角度でガイド支柱へ取り付けることができる。
【００１７】
上記一の局面による水中ミキサにおいて、好ましくは、取付部材は、一対の第１ガイド部を支持するとともに、水中ミキサ本体に取り付けられるブラケット本体と、第２ガイド部を支持するとともにブラケット本体に着脱可能に取り付けられる補助ブラケットとをさらに含む。このように構成すれば、水中ミキサを設置する高さ位置よりも上方に、ガイド支柱を内壁に固定する構成などがある場合において、水中ミキサをガイド支柱に沿って上方に移動させる際に、補助ブラケットをブラケット本体から取り外すことにより、水中ミキサが、ガイド支柱を内壁などに固定する構成などに干渉するのを防止することができる。
【発明の効果】
【００１８】
本発明によれば、上記のように、傾斜姿勢により水中ミキサ本体をガイド支柱に安定して取り付けることができる。
【図面の簡単な説明】
【００１９】
【図１】本発明の第１実施形態による水中ミキサの使用状態を示した斜視図である。
【図２】本発明の第１実施形態による水中ミキサを示した平面図である。
【図３】本発明の第１実施形態による水中ミキサの水平姿勢を示した側面図である。
【図４】本発明の第１実施形態による水中ミキサの上向姿勢を示した側面図である。
【図５】本発明の第１実施形態による水中ミキサの下向姿勢を示した側面図である。
【図６】本発明の第１実施形態による水中ミキサのガイド支柱に対する第１ガイド部および第２ガイド部の配置について説明するための図である。
【図７】本発明の第１実施形態による水中ミキサの当接部、第１ガイド部および第２ガイド部の配置設計のためのロジックについて説明する。
【図８】本発明の第２実施形態による水中ミキサの水平姿勢を示した側面図である。
【図９】本発明の第１実施形態の変形例による水中ミキサを示した側面図である。
【図１０】本発明の第１実施形態の変形例による水中ミキサの取付部材を示した側面図である。
【発明を実施するための形態】
【００２０】
以下、本発明の実施形態を図面に基づいて説明する。
【００２１】
［第１実施形態］
（水中ミキサの構成）
図１〜図６を参照して、本発明の第１実施形態について説明する。第１実施形態による水中ミキサ１００は、図１に示すように、混合や、撹拌、溶解、混和、濃度均一化、曝気などを行う貯水槽Ｔにおいて使用される。この他、水中ミキサ１００は、水処理場や、池、河川、プールなどの遊戯施設などにおいても使用することが可能である。
【００２２】
水中ミキサ１００は、主として、流れの無い死水域に設置され、死水域に水流を発生させるように構成されている。水中ミキサ１００は、死水域において、水を循環させることにより、水の滞留に起因する水の腐敗や、悪臭を招くアオコの発生などを抑制することが可能である。
【００２３】
水中ミキサ１００（撹拌羽根３を含む水中ミキサ本体１０１）は、ガイド機構Ｇが備えるガイド支柱Ｇ１に昇降可能に取り付けられている。ガイド機構Ｇは、貯水槽Ｔの内壁Ｔ１に設置されている。ガイド支柱Ｇ１は、矩形の水平断面形状を有し、上下方向（Ｚ方向）に直線状に延びる棒形状の部材である。ガイド支柱Ｇ１は、図２に示すように、中空のパイプ状に形成されている。なお、ガイド支柱Ｇ１は、中実に形成されていてもよい。
【００２４】
水中ミキサ１００は、水流を発生させる向きを変更可能に構成されている。具体的には、水中ミキサ１００（後述する水中ミキサ本体１０１）は、ガイド機構Ｇにより、水平方向の回動位置（向き）を変更可能に構成されている。また、水中ミキサ１００（後述する水中ミキサ本体１０１）は、図３〜図５に示すように、ガイド支柱Ｇ１に対する取付姿勢（水平姿勢、上向姿勢、下向姿勢などの傾斜姿勢）を変更することにより、上下方向に対する傾斜角度（向き）を変更可能に構成されている。これらの詳細については後述する。
【００２５】
水平姿勢とは、図３に示すように、水平方向への水流を発生させる際の水中ミキサ１００の姿勢である。上向姿勢とは、図４に示すように、上斜め方向への水流を発生させる際の水中ミキサ１００の姿勢である。下向姿勢とは、図５に示すように、下斜め方向への水流を発生させる際の水中ミキサ１００の姿勢である。なお、水中ミキサ１００の取付姿勢の変更は、水中ミキサ１００を上昇させて、ガイド支柱Ｇ１の上端から引き抜き、再度ガイド支柱Ｇ１に取り付けることにより行われる。
【００２６】
水中ミキサ１００は、貯水槽Ｔ内の水を撹拌する水中ミキサ本体１０１と、水中ミキサ本体１０１をガイド支柱Ｇ１に取り付ける取付部材１０２とを備えている。
【００２７】
以下では、水平方向のうち、撹拌羽根３から取付部材１０２に向かう方向をＡ１方向とし、その逆方向をＡ２方向とする。すなわち、ガイド支柱Ｇ１を基準とした場合、ガイド支柱Ｇ１の撹拌羽根３側とは逆をＡ１方向側とし、Ａ１方向側とは逆をＡ２方向側とする。また、Ａ１方向およびＡ２方向を合わせて、Ａ方向とする。また、水平方向のうち、Ａ方向に直交する方向をＢ方向とする。なお、Ａ１方向は、特許請求の範囲の「第１水平方向」の一例である。また、Ａ２方向は、特許請求の範囲の「第２水平方向」の一例である。
【００２８】
（ガイド機構の構成）
図３に示すように、ガイド機構Ｇは、ガイド支柱Ｇ１と、上側回動アーム部Ｇ２と、下側回動アーム部Ｇ３と、上側回動アーム部Ｇ２を回動可能に支持する上側支持部Ｇ４と、下側回動アーム部Ｇ３を回動可能に支持する下側支持部Ｇ５とを備えている。
【００２９】
上側回動アーム部Ｇ２および下側回動アーム部Ｇ３は、それぞれ、ガイド支柱Ｇ１の上端（Ｚ１方向端部）近傍および下端（Ｚ２方向端部）近傍に、ガイド支柱Ｇ１に対して固定的に取り付けられている。上側支持部Ｇ４および下側支持部Ｇ５は、それぞれ、貯水槽Ｔの内壁Ｔ１に固定的に設置されている。
【００３０】
上側回動アーム部Ｇ２および下側回動アーム部Ｇ３は、それぞれ、上下方向に延びる円柱状の中心軸Ｇ２１およびＧ３１を含んでいる。中心軸Ｇ２１およびＧ３１の中心軸線（図示せず）は、互いに一致している。上側支持部Ｇ４および下側支持部Ｇ５は、それぞれ、中心軸Ｇ２１およびＧ３１を中心として、上側回動アーム部Ｇ２および下側回動アーム部Ｇ３を回動可能に支持している。すなわち、ガイド支柱Ｇ１は、中心軸Ｇ２１（中心軸Ｇ３１）を中心として、回動可能に構成されている。ガイド支柱Ｇ１は、回動により、高さ位置を変えることなく水平方向に移動する。
【００３１】
上側回動アーム部Ｇ２は、図２に示すように、上側支持部Ｇ４に対するガイド支柱Ｇ１の回動角度を調整する角度調整部Ｇ２２を含んでいる。角度調整部Ｇ２２は、平面視で（Ｚ方向から見て）、扇形状を有している。角度調整部Ｇ２２は、中心軸Ｇ２１の周方向に所定角度間隔で配置される貫通穴Ｇ２２ａを複数有している。上側支持部Ｇ４は、ガイド支柱Ｇ１の回動時に、上側回動アーム部Ｇ２のいずれかの貫通穴Ｇ２２ａと重なる位置に配置される貫通穴Ｇ４１を有している。上側回動アーム部Ｇ２（ガイド支柱Ｇ１）は、貫通穴Ｇ２２ａと貫通穴Ｇ４１とに位置決め固定ピンＧ６が通されることにより、上側支持部Ｇ４に対する回動位置が定まり、上側支持部Ｇ４に固定されるように構成されている。
【００３２】
なお、ガイド支柱Ｇ１が、中心軸Ｇ２１（中心軸Ｇ３１）を中心として回動されることにより、ガイド支柱Ｇ１に取付部材１０２を介して取り付けられている水中ミキサ本体１０１も、中心軸Ｇ２１（中心軸Ｇ３１）を中心として回動される。
【００３３】
水中ミキサ１００は、図３に示すように、ガイド支柱Ｇ１に設けられ、水中ミキサ１００を使用高さ位置に保持するためのストッパ部材Ｓを備えている。ストッパ部材Ｓは、ガイド支柱Ｇ１の側面から突出するように設けられており、下方側から水中ミキサ１００の取付部材１０２に当接することに水中ミキサ１００を所定高さ位置に保持している。すなわち、ストッパ部材Ｓは、水中ミキサ１００の下降を規制する機能を有している。
【００３４】
上側回動アーム部Ｇ２のガイド支柱Ｇ１への接続部分Ｇ２ａは、平面視で（Ｚ方向から見て）、Ｂ方向の厚みが薄肉状に形成され、取付部材１０２の後述する１組のローラ６ａ、１組のローラ７ａおよび１組のローラ８ａの間に配置されている。これにより、水中ミキサ１００は、昇降時に、取付部材１０２が上側回動アーム部Ｇ２（接続部分Ｇ２ａ）に干渉することなく、上側回動アーム部Ｇ２が設けられる高さ位置をガイド支柱Ｇ１に沿って上下方向に通過することが可能である。
【００３５】
（水中ミキサ本体の構成）
水中ミキサ本体１０１は、図３に示すように、筐体１と、回転軸２１を有するモータ２と、撹拌羽根３と、を含んでいる。
【００３６】
〈筐体およびモータの構成〉
筐体１は、モータ２が内側に配置されている。筐体１のＡ１方向端部には、取付部材１０２が取り付けられている。筐体１のＡ２方向端部には、撹拌羽根３が取り付けられている。筐体１は、チェーンＣが取り付けられるチェーン取付部１１を含んでいる。チェーン取付部１１には、Ａ方向に並ぶ複数（３個）のチェーン取付穴が設けられている。水平姿勢では真ん中のチェーン取付穴にチェーンＣが取り付けられ、上向姿勢ではＡ２方向側のチェーン取付穴にチェーンＣが取り付けられ、下向姿勢ではＡ１方向側のチェーン取付穴にチェーンＣが取り付けられる。筐体１内には、電源（図示せず）からモータ２に電力を供給するキャブタイヤケーブルＰが導入されている。
【００３７】
水中ミキサ本体１０１は、昇降時に、チェーンＣにより吊り下げられて上方または下方に移動される。水中ミキサ本体１０１は、昇降時を除き、取付部材１０２が上方からストッパ部材Ｓに当接して、ストッパ部材Ｓに下方から支持されている。なお、水中ミキサ１００は、ストッパ部材Ｓに取付部材１０２を当接させて、チェーンＣに張力（テンション）を掛けない状態で使用される。
【００３８】
モータ２は、回転軸２１を有している。回転軸２１には、撹拌羽根３が取り付けられている。モータ２は、回転軸２１を介して撹拌羽根３に回転力を付与するように構成されている。回転軸２１は、平面視で（Ｚ方向から見て）、Ａ方向に延びている。また、回転軸２１は、撹拌羽根３と取付部材１０２とが並ぶ方向に延びている。
【００３９】
回転軸２１は、水平姿勢において（水中ミキサ本体１０１が水平姿勢にある場合）、水平方向に延びている。また、回転軸２１は、上向姿勢において（水中ミキサ本体１０１が上向姿勢にある場合）、ガイド支柱Ｇ１側から斜め上方向に延びている。また、回転軸２１は、下向姿勢において（水中ミキサ本体１０１が下向姿勢にある場合）、ガイド支柱Ｇ１側から斜め下方向に延びている。
【００４０】
〈撹拌羽根の構成〉
撹拌羽根３は、図３に示すように、水中ミキサ本体１０１の一端側（Ａ２方向側）に設けられている。撹拌羽根３は、筐体１の一端（Ａ２方向端部）に取り付けられている。撹拌羽根３は、回転することにより、水中ミキサ本体１０１が設置されている領域に水流を発生させることが可能である。
【００４１】
（取付部材の構成）
図３を用いて説明すると、取付部材１０２は、水中ミキサ本体１０１（筐体１）の他端（Ａ１方向端部）にボルトなどの固定部材（図示せず）を介して固定的に取り付けられている。取付部材１０２は、水中ミキサ本体１０１を、水平姿勢だけではなく、上下方向に対する傾斜角度を変えた傾斜姿勢（上向姿勢、下向姿勢）により、ガイド支柱Ｇ１に取付可能に構成されている。
【００４２】
取付部材１０２は、ブラケット４と、当接部５ａ、５ｂと、第１ガイド部６、７と、第２ガイド部８とを含んでいる。
【００４３】
第１ガイド部６は、Ｂ方向に対向する１組のローラ６ａにより形成されている。第１ガイド部７は、Ｂ方向に対向する１組のローラ７ａにより形成されている。第２ガイド部８は、Ｂ方向に対向する１組のローラ８ａにより形成されている。ローラ６ａ、ローラ７ａおよびローラ８ａは、共に、Ｂ方向に延びる中心軸線（図示せず）を中心に回動するローラである。
【００４４】
当接部５ａ、５ｂと、第１ガイド部６、７と、第２ガイド部８とは、共に、水中ミキサ本体１０１の昇降時および運転時（ストッパ部材Ｓに当接している時）に、ガイド支柱Ｇ１を挟み込むことにより、水中ミキサ本体１０１を安定して支持するための構成である。また、当接部５ａ、５ｂと、第１ガイド部６、７と、第２ガイド部８とは、共に、水中ミキサ本体１０１の昇降時に、水中ミキサ本体１０１をガイド支柱Ｇ１に対して滑らかに移動させるための構成でもある。
【００４５】
〈ブラケットの構成〉
ブラケット４には、図３に示すように、１組のローラ６ａ、１組のローラ７ａ、１組のローラ８ａおよび当接部５ａ、５ｂが取り付けられている。ブラケット４は、１組のローラ６ａ、１組のローラ７ａ、１組のローラ８ａおよび当接部５ａ、５ｂを水中ミキサ本体１０１に取り付け、ガイド支柱Ｇ１を包持するための部材である。
【００４６】
ブラケット４は、図２に示すように、平面視で（Ｚ方向から見て）、Ａ１方向側か開放されたＣ字形状（コの字形状）を有している。ブラケット４は、第１板状部４１と、一対の第２板状部４２とを有している。ブラケット４は、平面視で（Ｚ方向から見て）、モータ２の回転軸２１の回転中心軸線αに対して対称な形状を有している。
【００４７】
また、ブラケット４は、図３に示すように、側面視で（Ｂ方向から見て）、回転中心軸線αに対して対称な形状を有している。ブラケット４は、ステンレス材料などにより形成されている。
【００４８】
第１板状部４１は、水中ミキサ本体１０１の後面（Ａ１方向端面）に沿って延びている。第１板状部４１は、水平姿勢において（水中ミキサ本体１０１が水平姿勢にある場合）、Ａ方向に直交する方向に延びる平板形状を有している。第１板状部４１は、Ｚ方向を長手方向、Ｂ方向を短手方向とする矩形形状を有している。第１板状部４１は、上記の固定部材（図示せず）を介して、水中ミキサ本体１０１（筐体１）にＡ１方向側から固定的に取り付けられている。第１板状部４１のＡ１方向側の内面には、当接部５ａ、５ｂが設けられている。
【００４９】
一対の第２板状部４２は、それぞれ、平面視で（Ｚ方向から見て）、第１板状部４１のＢ方向の両端部から、それぞれＡ１方向に延びている。一対の第２板状部４２の互いに対向する内面には、それぞれ、Ｂ方向に対向するローラ６ａ（第１ガイド部６）が設けられている。また、一対の第２板状部４２の互いに対向する内面には、それぞれ、Ｂ方向に対向するローラ７ａ（第１ガイド部７）が設けられている。ローラ７ａ（第１ガイド部７）は、ローラ６ａ（第１ガイド部６）の下方側に配置されている。また、一対の第２板状部４２の互いに対向する内面には、それぞれ、Ｂ方向に対向する１組のローラ８ａ(第２ガイド部８)が設けられている。
【００５０】
〈当接部の構成〉
当接部５ａ、５ｂは、一対の構成である。当接部５ａ、５ｂは、それぞれ、ブラケット４の第１板状部４１の上方端部および下方端部のＡ１方向側の内面に設けられている。当接部５ａ、５ｂは、水平姿勢において（水中ミキサ本体１０１が水平姿勢にある場合）、ガイド支柱Ｇ１のＡ２方向側からガイド支柱Ｇ１に対して当接可能に設けられている。当接部５ａ、５ｂは、ガイド支柱Ｇ１に対して滑らかに摺動可能な部材（低い動摩擦係数を有する部材）である。当接部５ａ、５ｂは、ステンレス材料、ポリプロピレンまたはポリアセタール（ＰＯＭ）などにより形成されている。
【００５１】
当接部５ａ、５ｂは、Ｂ方向に延びるとともに、Ａ１方向に突出する半円状の断面形状を有している。すなわち、当接部５ａ、５ｂは、半月形状（かまぼこ形状）を有している。
【００５２】
当接部５ａ、５ｂは、水平姿勢において（水中ミキサ本体１０１が水平姿勢にある場合）、上下方向に互いに離間して配置されている。当接部５ａ、５ｂは、側面視で（Ｂ方向から見て）、モータ２の回転軸２１の回転中心軸線αに対して略対称な位置に配置されている。
【００５３】
〈第１ガイド部の構成〉
第１ガイド部６と第１ガイド部７とは、互いに同様の構成を備える一対の構成である。第１ガイド部６、７は、モータ２の回転軸２１が水平方向に延びる水平姿勢において（水中ミキサ本体１０１が水平姿勢にある場合）、それぞれ、ガイド支柱Ｇ１のＡ１方向側から、ガイド支柱Ｇ１に対して当接可能に設けられている。したがって、Ａ方向において、第１ガイド部６、７と、当接部５ａ、５ｂとの間の距離は、概して、ガイド支柱Ｇ１の幅に略等しい。
【００５４】
第１ガイド部６、７は、水平姿勢において（水中ミキサ本体１０１が水平姿勢にある場合）、上下方向に互いに離間して配置されている。第１ガイド部６、７は、側面視で（Ｂ方向から見て）、モータ２の回転軸２１の回転中心軸線αに対して対称な位置に配置されている。なお、第１ガイド部７は、水平姿勢において（水中ミキサ本体１０１が水平姿勢にある場合）、第１ガイド部６の直下に配置されている。
【００５５】
第１ガイド部６および第１ガイド部７の間の距離Ｄ１と、当接部５ａおよび当接部５ｂの間の距離Ｄ２とを比較すると、距離Ｄ１は、距離Ｄ２よりも大きい（Ｄ２＜Ｄ１）。
【００５６】
〈第２ガイド部の構成〉
第２ガイド部８は、水平姿勢において（水中ミキサ本体１０１が水平姿勢にある場合）、第１ガイド部６および第１ガイド部７の間の高さ位置で、ガイド支柱Ｇ１から水平方向に離間した位置に配置されている。すなわち、第２ガイド部８は、水平姿勢において、ガイド支柱Ｇ１に当接することのないガイド支柱Ｇ１から所定距離を隔てた位置に配置されている。
【００５７】
第２ガイド部８は、水平姿勢において（水中ミキサ本体１０１が水平姿勢にある場合）、第１ガイド部６、７よりもＡ１方向にずれて配置されている。また、第２ガイド部８は、水平姿勢において（水中ミキサ本体１０１が水平姿勢にある場合）、第１ガイド部６、７が配置される高さ位置の略中間に配置されている。すなわち、第２ガイド部８は、側面視で（Ｂ方向から見て）、モータ２の回転軸２１の回転中心軸線α上に配置されており、かつ、回転中心軸線αとガイド支柱Ｇ１のＡ１方向側の面（後面）との交点よりもＡ１方向にずれた位置に配置されている。
【００５８】
（取付姿勢の変更）
次に、図４および図５を参照して、水中ミキサ本体１０１を介した取付姿勢を変更するための構成について説明する。
【００５９】
取付部材１０２は、一対の第１ガイド部６、７の一方と、第２ガイド部８との間にガイド支柱Ｇ１を通すことにより、水中ミキサ本体１０１を傾斜姿勢とするように構成されている。なお、一対の第１ガイド部６、７の他方および第２ガイド部８は、水中ミキサ本体１０１が傾斜姿勢にある場合に、ガイド支柱Ｇ１のＡ１方向側から、ガイド支柱Ｇ１に当接可能なように配置されている。
【００６０】
詳細には、取付姿勢を変更する際には、まず、水中ミキサ１００は、チェーンＣが上方に引かれることにより、ストッパ部材Ｓに当接している状態から上昇されて、ガイド支柱Ｇ１の上端から引き抜かれる。
【００６１】
そして、図５に示すように、取付部材１０２は、一対の第１ガイド部６、７のうち上側にある第１ガイド部６と、第２ガイド部８との間にガイド支柱Ｇ１を通すことにより、水中ミキサ本体１０１を下向姿勢とするように構成されている。なお、水中ミキサ本体１０１が下向姿勢にある場合に、第１ガイド部７および第２ガイド部８は、ガイド支柱Ｇ１のＡ１方向側から、ガイド支柱Ｇ１に当接可能なように配置されている。
【００６２】
また、図４に示すように、取付部材１０２は、一対の第１ガイド部６、７のうち下側にある第１ガイド部７と、第２ガイド部８との間にガイド支柱Ｇ１を通すことにより、水中ミキサ本体１０１を上向姿勢とするように構成されている。なお、水中ミキサ本体１０１が上向姿勢にある場合に、第１ガイド部６および第２ガイド部８は、ガイド支柱Ｇ１のＡ１方向側から、ガイド支柱Ｇ１に当接可能なように配置されている。
【００６３】
（第１ガイド部のローラの回転中心軸線とガイド支柱との間の距離）
次に、図６を参照して、第１ガイド部６のローラ６ａの回転中心軸線βとガイド支柱Ｇ１との間の距離について説明する。なお、図６では、二点鎖線により、傾斜姿勢における取付部材１０２に対するガイド支柱Ｇ１の相対位置を示している。また、図６では、水中ミキサ本体１０１の図示を省略している。
【００６４】
水平姿勢におけるローラ６ａの回転中心軸線βとガイド支柱Ｇ１との間の距離ｄ１（最短距離）と、上向姿勢におけるローラ６ａの回転中心軸線βとガイド支柱Ｇ１との間の距離ｄ２（最短距離）と、下向姿勢におけるローラ６ａの回転中心軸線βとガイド支柱Ｇ１との間の距離ｄ３（最短距離）とは、互いに略等しい（ｄ１＝ｄ２＝ｄ３）。
【００６５】
なお、第１ガイド部７のローラ７ａの回転中心軸線とガイド支柱Ｇ１との間の距離についても、第１ガイド部６のローラ６ａの回転中心軸線βとガイド支柱Ｇ１との間の距離と同様の関係が成立する。
【００６６】
（第２ガイド部のローラの回転中心軸線とガイド支柱との間の距離）
次に、図６を参照して、第２ガイド部８のローラ８ａの回転中心軸線γとガイド支柱Ｇ１との間の距離について説明する。
【００６７】
上向姿勢におけるローラ８ａの回転中心軸線γとガイド支柱Ｇ１との間の距離ｅ１（最短距離）と、下向姿勢におけるローラ８ａの回転中心軸線γとガイド支柱Ｇ１との間の距離ｅ２（最短距離）とは、互いに略等しい（ｅ１＝ｅ２）。
【００６８】
（当接部、第１ガイド部および第２ガイド部の配置設計）
図７（Ａ）〜（Ｄ）を参照して、当接部、第１ガイド部および第２ガイド部の配置設計のためのロジックについて説明する。
【００６９】
まず、図７（Ａ）に示すように、回転中心軸線αに対称となる位置に２つの半円状の当接部の位置を仮決めする。そして、当接部の両方に接するようにガイド支柱を描く。なお、ガイド支柱を、垂直方向に延びるように（回転中心軸線αに直交するように）描く。
【００７０】
次に、図７（Ｂ）に示すように、２つの当接部のそれぞれに接する傾斜したガイド支柱を２つ描く。なお、２つの傾斜したガイド支柱を、それぞれ、当接部の外側（回転中心軸線αから遠い側）に接するように描く。本実施形態では傾斜したガイド支柱を、回転中心軸線αに対して２０度傾かせて描いており、このように設計することで水中ミキサ本体を上向き、下向きに２０度ずつ傾けた傾斜姿勢でガイド支柱に取り付ける事が可能となる。もちろん、傾斜角度については２０度に限定されることなく適宜変更可能である。
【００７１】
次に、図７（Ｃ）に示すように、回転中心軸線αの一方側および他方側のそれぞれに、垂直方向に延びるガイド支柱Ｇ１と、傾斜した２つのガイド支柱とのすべてに接する２つの第１の円を描く。２つの第１の円は、それぞれ、第１ガイド部の位置を示している。
【００７２】
次に、図７（Ｄ）に示すように、Ａ１方向側から、傾斜した２つのガイド支柱Ｇ１に接する第２の円を１つ描く。なお、第２の円を、第１の円と同じ半径で描く。第２の円は、第２ガイド部の位置を示している。
【００７３】
（第１実施形態の効果）
第１実施形態では、以下のような効果を得ることができる。
【００７４】
第１実施形態では、上記のように、水平姿勢において、ガイド支柱Ｇ１の撹拌羽根３側とは逆のＡ１方向側から、ガイド支柱Ｇ１に対して当接可能に設けられ、上下方向に互いに離間して配置される一対の第１ガイド部６、７と、水平姿勢において、ガイド支柱Ｇ１のＡ１方向側とは逆のＡ２方向側から、ガイド支柱Ｇ１に対して当接可能に設けられる当接部５ａ、５ｂと、水平姿勢において、一対の第１ガイド部６、７の間の高さ位置で、ガイド支柱Ｇ１からＡ１方向に離間した位置に配置される第２ガイド部８とを含むように取付部材１０２を構成し、取付部材１０２の一対の第１ガイド部６、７の一方と、第２ガイド部８との間にガイド支柱Ｇ１を通すことにより、水中ミキサ本体１０１を傾斜姿勢とすることができる。これにより、水中ミキサ本体１０１を傾斜姿勢とした際に、水平姿勢の場合よりも、一対の第１ガイド部６、７の一方よりもＡ１方向側（ガイド支柱Ｇ１の撹拌羽根３側とは逆側）（後方側）に、一対の第１ガイド部６、７の他方を移動させることができる。したがって、第２ガイド部８に加えて、一対の第１ガイド部６、７の他方を、ガイド支柱Ｇ１のＡ１方向側（後方側）に配置することができる。これにより、ガイド支柱Ｇ１に対する水中ミキサ本体１０１の姿勢を保持するための構成として、ガイド支柱Ｇ１のＡ１方向側に、一対の第１ガイド部６、７の他方および第２ガイド部８の２つを配置することができる。また、水中ミキサ本体１０１をガイド支柱Ｇ１に傾斜して取り付ける際に、当接部５ａ、５ｂのいずれか一方をガイド支柱Ｇ１にＡ２方向側から当接させることができる。その結果、傾斜姿勢において、ガイド支柱Ｇ１に対する水中ミキサ本体１０１の回動を規制することができるので、傾斜姿勢における水中ミキサ本体１０１のガイド支柱Ｇ１への取付状態を安定させることができる。その結果、水中ミキサの運転時および昇降時において、水中ミキサ本体１０１のガイド支柱Ｇ１への取付姿勢を安定して保持することができる。
【００７５】
従来より、水中ミキサは、水中ミキサ本体１０１に取り付けられるチェーンにより昇降が行われ、運転時においても取付姿勢を保持するためにチェーンに張力が掛かった状態が維持される。一方、上記のように構成することにより、取付部材１０２によって運転時における水中ミキサ本体１０１のガイド支柱Ｇ１への取付状態を安定して保持することができるので、チェーンＣに張力を掛けずに運転させることができる。その結果、運転時において、チェーンＣに張力が掛かり続けて、疲労が蓄積することに起因してチェーンＣが破断するのを防止することができる。
【００７６】
第１実施形態では、上記のように、当接部５ａ、５ｂの一方と、第２ガイド部８とは、水中ミキサ本体１０１をガイド支柱Ｇ１に上向姿勢、下向姿勢でそれぞれ所定角度傾けて取り付けた場合に、いずれの場合でもガイド支柱Ｇ１に接するように構成されている。これにより、一対の第１ガイド部６、７の一方と当接部５ａ、５ｂの一方と第２ガイド部８とでガイド支柱Ｇ１を支持することができるので、一対の第１ガイド部６、７の一方と第２ガイド部８との間にガイド支柱Ｇ１を配置した上向の傾斜姿勢（上向姿勢）、および、一対の第１ガイド部６、７の他方と第２ガイド部８との間にガイド支柱Ｇ１を配置した下向の傾斜姿勢（下向姿勢）の一方において、ガイド支柱Ｇ１と第１ガイド部６、７および第２ガイド部８との間の隙間（がたつき）が大きくなるのを抑制することができる。その結果、上向姿勢および下向姿勢の両方において水中ミキサ本体１０１のガイド支柱Ｇ１への取付状態をより安定させることができる。
【００７７】
第１実施形態では、上記のように、当接部５ａ、５ｂは、水中ミキサ本体１０１が水平姿勢にある場合に、上下方向に互いに離間して一対設けられている。これにより、当接部
が１つのみからなる場合と比較して、一対の当接部５ａ、５ｂにより互いに離間した２つの位置でガイド支柱Ｇ１を支持することができるので、水中ミキサ本体１０１のガイド支柱Ｇ１への取付姿勢をより安定させることができる。また、水中ミキサ本体１０１をガイド支柱Ｇ１に上向姿勢で取り付ける場合は当接部５ａをガイド支柱Ｇ１に、水中ミキサ本体をガイド支柱Ｇ１に下向姿勢で取り付ける場合は当接部５ｂをガイド支柱Ｇ１に常に当接させて、安定した傾斜姿勢にて、水中ミキサ本体１０１をガイド支柱Ｇ１に取り付けることができる。
【００７８】
第１実施形態では、上記のように、一対の第１ガイド部６、７の間の距離は、一対の当接部５ａ、５ｂの間の距離よりも大きい。これにより、上方側の当接部５ａと上方側の第１ガイド部６との間にガイド支柱Ｇ１を通し、かつ、下方側の第１ガイド部７と第２ガイド部８の間にガイド支柱Ｇ１を通すことにより、上方側の当接部５ａおよび一対の第１ガイド部６、７の間にガイド支柱Ｇ１が当接可能な状態で、水中ミキサ本体１０１を容易に上向きの傾斜姿勢（上向姿勢）にすることができる。また、上方側の第１ガイド部６と第２ガイド部８との間にガイド支柱Ｇ１を通し、かつ、下方側の第１ガイド部７と下方側の当接部５ｂの間にガイド支柱Ｇ１を通すことにより、下方側の当接部５ｂおよび一対の第１ガイド部６、７と第２ガイド部８の間にガイド支柱Ｇ１が当接可能な状態で、水中ミキサ本体１０１を容易に下向きの傾斜姿勢（下向姿勢）にすることができる。
【００７９】
第１実施形態では、上記のように、当接部５ａ、５ｂは、水平方向に延びるとともに、Ａ１方向に突出する半円状の断面形状を有する。これにより、ガイド支柱Ｇ１の当接部５ａ、５ｂに対する傾斜角度が変更された場合でも、ガイド支柱Ｇ１と半円状の当接部５ａまたは５ｂとの接触状態（線接触の状態）を保持することができるので、当接部が板状に形成される場合と比較して、水中ミキサ本体１０１のガイド支柱Ｇ１への取付姿勢をより安定させることができる。
【００８０】
第１実施形態では、上記のように、第２ガイド部８は、ローラ８ａにより形成され、傾斜姿勢は、撹拌羽根３が上方側を向く上向姿勢と、撹拌羽根３が下方側を向く下向姿勢とを含み、ローラ８ａの回転中心軸線γと、ガイド支柱Ｇ１との間の距離は、水中ミキサ本体１０１が上向姿勢にある場合と、水中ミキサ本体１０１が下向姿勢にある場合とにおいて互いに略等しい。これにより、上向姿勢と下向姿勢とにおいて、いずれの場合でも水中ミキサ本体１０１を同じ角度でガイド支柱Ｇ１へ取り付けることができる。
【００８１】
［第２実施形態］
次に、図８を参照して、本発明の第２実施形態の水中ミキサ２００について説明する。この第２実施形態では、第１ガイド部６、７と第２ガイド部８とを、共通の部品（ブラケット４）により支持するように構成した上記第１実施形態とは異なり、第１ガイド部６、７と第２ガイド部８とを、互いに異なる部品（ブラケット本体２０４ａ、補助ブラケット２０４ｂ）により支持するように構成した例について説明する。なお、上記第１実施形態と同様の構成は、第１実施形態と同じ符号を付して図示するとともに説明を省略する。
【００８２】
第２実施形態における水中ミキサ２００は、図８に示すように、取付部材２０２を備えている。取付部材２０２は、ブラケット本体２０４ａと、補助ブラケット２０４ｂとを含んでいる。
【００８３】
ブラケット本体２０４ａは、一対の第１ガイド部６、７を支持するとともに、水中ミキサ本体１０１にＡ１方向側から取り付けられている。ブラケット本体２０４ａは、図示しないが、第１実施形態のブラケット４（図２参照）と同様に、平面視で（Ｚ方向から見て）、Ａ１方向側か開放されたＣ字形状（コの字形状）を有している。
【００８４】
補助ブラケット２０４ｂは、第２ガイド部８を支持するとともに、ブラケット本体２０４ａに着脱可能に取り付けられている。補助ブラケット２０４ｂは、図示しないが、Ｂ方向に対向して一対設けられている。第２ガイド部８は、一対の補助ブラケット２０４ｂの間に配置されている。
【００８５】
補助ブラケット２０４ｂは、ボルトなどの固定部材Ｋによりブラケット本体２０４ａに対して固定的に取り付けられている。補助ブラケット２０４ｂは、概して、ブラケット本体２０４ａに取り付けられた状態で、Ａ１方向側に突出するＬ字形状（くの字形状）を有している。
【００８６】
ガイド機構Ｇ（上側支持部Ｇ４など）と干渉しないように構成されていた第１実施形態の取付部材１０２とは異なり、この第２実施形態における補助ブラケット２０４ｂを含む取付部材２０２は、水中ミキサ２００を水平姿勢にてガイド支柱Ｇ１に沿って昇降させると、ガイド機構Ｇに干渉する位置に配置されている（第１実施形態の取付部材１０２に比べて、取付部材２０２（補助ブラケット２０４ｂ）と内壁Ｔ１との間隔が狭く構成され、第１実施形態の取付部材１０２とは異なり、取付部材２０２（補助ブラケット２０４ｂ）とガイド機構Ｇとが上下に重なる位置に配置されている）。そこで、水中ミキサ２００を水平姿勢で降下させる場合は、補助ブラケット２０４ｂをブラケット本体２０４ａから取り外した状態で水中ミキサ２００を昇降させることで、補助ブラケット２０４ｂがガイド機構Ｇに干渉することなく、ガイド支柱Ｇ１に沿って水中ミキサ本体１０１を上方に移動させることが可能に構成されている。なお、水中ミキサ２００を上向姿勢・下向姿勢で昇降させる際には図４、図５に示すように、ローラー８ａと、ローラ６ａまたはローラ７ａのいずれか一方とが略直線上にガイド支柱Ｇ１に添った状態で配置されるため、補助ブラケット２０４ｂがガイド機構Ｇに干渉することが無いので補助ブラケット２０４ｂの取り付け、取り外し作業は不要である。
【００８７】
なお、第２実施形態のその他の構成は、上記第１実施形態と同様である。
【００８８】
（第２実施形態の効果）
第２実施形態では、以下のような効果を得ることができる。
【００８９】
第２実施形態では、上記のように、取付部材２０２は、一対の第１ガイド部６、７を支持するとともに、水中ミキサ本体１０１に取り付けられるブラケット本体２０４ａと、第２ガイド部８を支持するとともにブラケット本体２０４ａに着脱可能に取り付けられる補助ブラケット２０４ｂとをさらに含む。これにより、水中ミキサ２００を設置する高さ位置よりも上方に、ガイド支柱Ｇ１を内壁Ｔ１に固定する構成などがある場合において、水中ミキサ２００をガイド支柱Ｇ１に沿って上方に移動させる際に、補助ブラケット２０４ｂをブラケット本体２０４ａから取り外すことにより、水中ミキサが、ガイド支柱Ｇ１を内壁Ｔ１などに固定する構成などに干渉するのを防止することができる。
【００９０】
なお、第２実施形態のその他の効果は、上記第１実施形態と同様である。
【００９１】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００９２】
たとえば、上記第１および第２実施形態では、当接部を、半円状の断面形状（中心角が１８０度の円弧部分を有する断面形状）を有するように形成した例を示したが、本発明はこれに限らない。本発明では、当接部を、中心角が１８０度よりも小さいまたは大きい円弧部分を有する断面形状などに形成してもよい。
【００９３】
また、上記第１および第２実施形態では、当接部を、ガイド支柱に対して滑らかに摺動可能な部材（低い動（静止）摩擦係数を有する部材）により構成した例を示したが、本発明はこれに限らない。本発明では、当接部を、ローラなどにより構成してもよい。
【００９４】
また、上記第１および第２実施形態では、取付部材が２つの当接部を有する例を示したが、本発明はこれに限らない。本発明では、たとえば、取付部材が１つまたは３つ以上の当接部を有していてもよい。
【００９５】
また、上記第１および第２実施形態では、ストッパ部材を取付部材の下方から当接させた例を示したが、本発明はこれに限らない。本発明では、図９に示す変形例のように、ストッパ部材Ｓ１を水中ミキサ本体１０１に直接当接させてもよい。なお、ストッパ部材Ｓ１の上端には、Ｂ方向に延びる棒状の当接部分が設けられている。
【００９６】
また、上記第１および第２実施形態では、水中ミキサ本体をガイドする構成として、取付部材に一対の第１ガイド部、第２ガイド部および当接部のみを設けた例を示したが、本発明はこれに限らない。本発明では、図１０（ａ）および（ｂ）に示すように、それぞれ、取付部材に、一対の第１ガイド部、第２ガイド部および当接部に加えて、第３ガイド部９ａおよび９ｂを設けてもよい。これにより、水中ミキサ本体を２種類の角度により上向姿勢（下向姿勢）に変更することができる。
【００９７】
また、上記第１および第２実施形態では、第１ガイド部および第２ガイド部を、ローラにより構成した例を示したが、本発明はこれに限らない。本発明では、第１ガイド部および第２ガイド部を、ガイド支柱に対して滑らかに摺動可能な部材により構成してもよい。
【００９８】
また、上記第１および第２実施形態では、一対の第１ガイド部の間の距離を、一対の当接部の間の距離よりも大きくした例を示したが、本発明はこれに限らない。本発明では、一対の第１ガイド部の間の距離を、一対の当接部の間の距離以下としてもよい。
【００９９】
また、上記第１および第２実施形態では、第２ガイド部を、水中ミキサ本体が水平姿勢にある場合に、一対の第１ガイド部が配置される高さ位置の略中間に配置した例を示したが、本発明はこれに限らない。本発明では、第２ガイド部を、水中ミキサ本体が水平姿勢にある場合に、一対の第１ガイド部が配置される高さ位置の略中間から、一対の第１ガイド部の一方側にずれた位置に配置してもよい。
【符号の説明】
【０１００】
３  撹拌羽根
５ａ、５ｂ  当接部
６、７  第１ガイド部
８  第２ガイド部
８ａ  ローラ
２１  回転軸
１００、２００  水中ミキサ
１０１  水中ミキサ本体
１０２、２０２  取付部材
２０４ａ  ブラケット本体
２０４ｂ  補助ブラケット
Ｇ１  ガイド支柱
γ  回転中心軸線
【図１】
2019171263.tif 000003
【図２】
2019171263.tif 000004
【図３】
2019171263.tif 000005
【図４】
2019171263.tif 000006
【図５】
2019171263.tif 000007
【図６】
2019171263.tif 000008
【図７】
2019171263.tif 000009
【図８】
2019171263.tif 000010
【図９】
2019171263.tif 000011
【図１０】
2019171263.tif 000012